【事件の表示】
　特願２０１３−　９０５４３号「ギャッチベッド用マットレス」拒絶査定不服審判事件〔平成２６年１１月１７日出願公開、特開２０１４−２１２８４９号〕について、次のとおり審決する。
【結　論】
　本件審判の請求は、成り立たない。
【理　由】
第１　手続の経緯
　本件出願（以下「本願」という。）は、平成２５年４月２３日の出願であって、平成２８年５月２０日付けで拒絶理由が通知され、同年７月２５日に意見書及び手続補正書が提出され、同年９月３０日付けで拒絶理由が通知され、同年１１月１日に意見書が提出され、平成２９年３月２８日付けで拒絶査定（以下「原査定」という。）がなされ、これに対し、同年６月３０日に拒絶査定不服審判が請求されたものである。
第２　本願発明及び明細書の記載事項
　本願請求項１〜３に係る発明（以下、それぞれ「本願発明１」〜「本願発明３」という。）は、平成２８年７月２５日に提出された手続補正書により補正された特許請求の範囲の請求項１〜３に記載された事項により特定される次のとおりのものである。
「　【請求項１】
クッション性を有し、ベッド使用者の体重を支えるマットレス本体と、
このマットレス本体を被包するカバーと、
を有し、
前記マットレス本体は、前記ベッド使用者の大腿部に対応する位置に、腰部及び背部に対応する位置の素材よりも硬い素材が配置されていることを特徴とするギャッチベッド用マットレス。
　　【請求項２】
前記カバーの下面における前記硬い素材の位置に対応する位置に、マットレスの滑動を抑制する滑り止めが設けられていることを特徴とする請求項１に記載のギャッチベッド用マットレス。
　　【請求項３】
前記マットレス本体は、ベッドの長手方向の一部又は全域に延びる基材と、前記大腿部に対応する位置に配置された補助材と、を有し、前記補助材により、前記大腿部に対応する位置の素材硬さが前記腰部及び前記背部に対応する位置の素材硬さよりも硬くなっていることを特徴とする請求項１又は２に記載のギャッチベッド用マットレス。」
　また、上記手続補正書により補正された本願明細書における発明の詳細な説明には、次の事項が記載されている（下線は当審で付加した。また、以下「Ａ」〜「Ｂ」の記載事項は、それぞれ「記載事項Ａ」〜「記載事項Ｂ」という。以下同様。）。
Ａ「【０００２】
　ギャッチベッドのボトム上には、マットレスが載置されており、患者等のベッド使用者は、マットレス上に横臥する。そして、ギャッチベッドにおいては、ボトムが、使用者の背の部分に対応する背ボトムと、腰の部分に対応する腰ボトムと、大腿部の部分に対応する膝ボトムと、足の部分に対応する足ボトムとに分割されており、通常、腰ボトムは固定されているが、背ボトムは、腰ボトム側の端部を回動中心として、揺動するようになっている。この背ボトムが上昇し、背上げ動作がなされると、マットレス上の使用者の上半身が起こされ、使用者は、読書又はテレビジョン鑑賞等がしやすい体勢になる。
【０００３】
　しかしながら、このようなギャッチベッドの場合、背上げ動作がなされると、マットレス上の使用者の身体が、ベッドの長手方向（足元方向）にずれを生じやすくなり、寝心地が悪くなると共に、余分な力が使用者にかかるという問題点がある。
【０００４】
　また、この背上げ時に、身体に対して印加される応力は、背ボトム上のマットレスも、ベッド長手方向（足元方向）にずらす方向に作用する。このため、マットレスのずれも問題になる。
【０００５】
　そこで、特許文献１においては、マットレスの裏面とベッド（ボトム）の上面との間に、高摩擦係数のシート部材を敷設し、マットレスの滑りに対して滑り抵抗力を付加したマットレスが開示されている。
【先行技術文献】
【特許文献】
【０００６】
【特許文献１】特開２００９−２０７５４３号公報
【発明の概要】
【発明が解決しようとする課題】
【０００７】
　しかしながら、この特許文献１に開示されたマットレスは、マットレスのベッド長手方向への滑動を防止することはできても、ベッドのマットレス上に横臥するベッド使用者のベッド長手方向へのずれを防止できるものではないという問題点がある。
【０００８】
　本発明はかかる問題点に鑑みてなされたものであって、ギャッチベッドのマットレス上に横臥するベッド使用者の背上げ動作時のベッド長手方向へのずれを防止することができるギャッチベッド用マットレスを提供することを目的とする。
【課題を解決するための手段】
【０００９】
　本発明に係るギャッチベッド用マットレスは、
クッション性を有し、ベッド使用者の体重を支えるマットレス本体と、
このマットレス本体を被包するカバーと、
を有し、
前記マットレス本体は、前記ベッド使用者の大腿部に対応する位置に、腰部及び背部に対応する位置の素材よりも硬い素材が配置されていることを特徴とする。
【００１０】
　このギャッチベッド用マットレスにおいて、
前記マットレス本体は、ベッドの長手方向の一部又は全域に延びる基材と、前記大腿部に対応する位置に配置された補助材と、を有し、前記補助材により、前記大腿部に対応する位置の素材硬さが前記腰部及び前記背部に対応する位置の素材硬さよりも硬くなっているように構成することができる。
【００１１】
　また、前記カバーの下面における前記硬い素材の位置に対応する位置に、マットレスの滑動を抑制する滑り止めが設けられていることが好ましい。
【発明の効果】
【００１２】
　本発明においては、マットレス本体が、腰部の位置が軟らかく、大腿部の位置が硬くなるように構成されているので、マットレス上に横臥するベッド使用者は、相対的に、その腰が若干沈むものの、大腿部は硬い素材に支持されて沈みにくい。このため、背ボトムが上昇して、背上げ動作が行われても、使用者の身体が、マットレスに対してベッド長手方向（足元方向）にずれてしまうことはない。また、マットレス本体を被包するカバーの下面には、脚部ボトムとの間でマットレスが滑動してしまわないように、滑り止めが設けられているので、マットレスもベッド長手方向にずれることはない。よって、ベッド使用者の身体は、背上げ動作時も、ベッド上の当初の位置からずれてしまうことがない。」
Ｂ「【００１５】
　
マットレス本体１は、ベッドの全面に対応する幅及び長さを有する第１部材２と、この第１部材２の頭部側及び足部側の部分の下面に接合された第２部材３，４と、第１部材２の腰部の部分の上面に接合された第３部材６と、平面視で第１部材２における第３部材６と足部側第２部材４との間の部分における下面に接合された第４部材５とから構成される
腰部に相当する第３部材６は若干軟らかい素材で形成されている。一方、大腿部に相当する第４部材５は硬い素材で形成されており、基材又は腰部の第３部材６よりも硬い素材で形成された補助材である
【００１６】
　図３は、本実施形態のカバー４０を示す下面図である。この
図３に示すように、カバー４０は、袋状をなし、マットレス本体１を内部に収納して、マットレス本体１を被包する
【００１７】
　このカバー４０の下面には、硬い第４部材５に対応する部分、即ち、マットレス上に横臥したベッド使用者の大腿部に対応する部分に、滑り止め加工することにより、滑り止め部４３が設けられている。この滑り止め部４３の滑り止め加工は、平面状にゴム素材を被着することにより行うことができるが、この手段は、その他の種々の手段を講じることができる。この滑り止め部４３は、ベッド長手方向に１００ｍｍ以上の長さを有し、幅が１５０ｍｍ以上であることが好ましい。
【００１８】
　上述のごとく構成された本実施形態のマットレスにおいては、補助材（第４部材５）が１５０乃至５００Ｎと硬い素材で形成されており、
腰部を支持する第３部材６が５０乃至１３０Ｎと軟らかい素材で形成されているので、ベッド使用者の腰部は第３部材６で相対的に沈みやすく、大腿部を支持する補助材（第４部材５）は１５０乃至５００Ｎと硬い素材で形成されているので、ベッド使用者の大腿部は補助材（第４部材５）により支持されて、相対的に沈まない。このため、使用者の臀部（腰部）は、補助材（第４部材５）に係止されて、ベッド長手方向（足元方向）にずれることがない
ベッド使用者がマットレス上に座した場合、臀部が補助材（第４部材５）からの反力を受けて、骨盤が立った座位姿勢をとりやすくなる
【００１９】
　マットレス本体１は、第１部材２が硬さが２００Ｎ以上のポリエステル硬綿で成形されており、この第１部材２が、ベッド長手方向の全域に配置されているが、ベッド上に横臥した使用者の腰部の部分は、第１部材２上に、硬さが５０乃至１３０Ｎの軟らかいウレタン製の第３部材６が配置されているので、ベッド使用者の背部及び脚部は、硬い素材に支持され、腰部は、柔らかい素材に支持されることになる。このため、本実施形態の下層マットレス部材１は、腰部が沈み込みやすく、背部及び脚部が沈み込みにくいという特性をもつものとなる。
・・・
【００２５】
　なお、マットレス本体１は、それだけで、ベッド上のマットレスとして必要な機能をもつ。従って、マットレス本体１は、種々の患者等にとって、共通に必要な機能を備えており、最低限の寝心地を有していて、それだけでも、患者が横臥するマットレスとしての機能を有する。マットレス本体１は、前述のごとく、その上に横臥した患者は、動きやすいと共に、臀部の体圧分散性がすぐれている。図１及び図２に示すマットレス本体１は、例えば、厚さが７ｃｍであり、薄型タイプのマットレスといえる。
図４に示すマットレス本体１と上層マットレス部材１０との組み合わせのスタンダードタイプのプラットホーム化マットレスは、上層マットレス部材１０の厚さが例えば９ｃｍであり、図５に示すマットレス本体１と上層マットレス部材２０との組み合わせの床ずれ防止タイプのプラットホーム化マットレスは、上層マットレス部材２０の厚さが例えば１２．５ｃｍである。このように、上層マットレス部材の厚さが異なるので、カバー４０は、各厚さに対応したものを用意することが好ましい
マットレス全体の厚さは、この上層マットレス部材の厚さにより変化するので、それに応じて適切なカバーを用意することが好ましい
Ｃ　さらに、本願には、以下の図が添付されている。
第３　原査定の概要
　原査定の拒絶の理由は、本願発明１は、本願の出願日前に日本国内又は外国において、頒布された又は電気通信回線を通じて公衆に利用可能となった下記の引用文献１に記載された発明に基づいて、その出願日前にその発明の属する技術の分野における通常の知識を有する者が容易に発明をすることができたものであるから、特許法２９条２項の規定により特許を受けることができない、との理由を含むものである。
引用文献１：特表２００１−５１９１８６号公報
第４　引用文献１に記載された事項及び発明
　原査定の拒絶の理由に引用文献１として示され、本願の出願日前に頒布された特表２００１−５１９１８６号公報（以下、原査定と同様に「引用文献１」という。）には、以下の事項が記載されている（下線は当審で付加した。また、以下「１ａ」〜「１ｂ」の記載事項は、それぞれ「記載事項（１ａ）」〜「記載事項（１ｂ）」という。以下同様。）。
（１ａ）「【００３５】
　マットレス５２を、図３に図示する如く、ボックススプリング、ベッドの固定デッキ、ベッドの連接結合デッキ等の土台１２０の上に載置する。マットレスはまた床またはその他の任意の全体として平らな上を向いた表面上に載置され、これは現在考えられ得る本発明の範囲を逸脱するものではない。
・・・
【００３８】
　上記に説明した如く、マットレス５２は、固定された全体として平らな上方を向いたユーザの使用中にマットレス５２が載置される表面上、または、図４に図示する如き連接結合デッキ１３８を有するその他の装置（図示なし）上の双方で使用できるように構成される。例示した
連接結合デッキ１３８はヘッド部分１４４、シート部分１４６、大腿部分１４８及び足部分１５０を含む
【００３９】
　
デッキ１３８のシート部分１４６はマットレス５２を載せる全体として水平で上方を向いた表面を有するベッドに対して固定され、ヘッド部分１４４、大腿部分１４８及び足部分１５０はマットレス５２を移動するようにベッド
に対して及び互いに対して移動自在にされて、マットレス５２の位置及びマットレス５２上のユーザの位置が変化するようにする
【００４０】
　様々な機械的及び電気機械的アクチュエータ及び駆動装置を使用して図４乃至図６に図示する如くベッドに対して個々のデッキ部分１４４、１４６、１４８、１５０を昇降させることが可能であるのは理解できることである。リードスクリュー駆動を含んだ様々なタイプの伝達要素及び様々なタイプの機械的リンケージを備えた電気駆動モータを使用して病院用ベッドの各部を相対移動させることは病院用ベッド技術では公知である。また、加圧空気を動力源とする様々なタイプの空気袋体を含んだ空気アクチュエータを使用して病院用ベッドの個々の部分を起動及び／または移動することも公知である。本明細書及び特許請求の範囲においては「上昇または下降させる手段」なる用語は本発明の椅子式ベッド即ちチェアベッド５０の各部を昇降させるための全てのタイプの手動クランク機構を含めた全てのタイプの機械式、電気機械式、油圧式及び空気式機構を網羅する意味で使用されるものである。
・・・
【００５３】
　上記に説明した如く、連接結合デッキ１３８のヘッド、大腿及び足部分１４４、１４８、１５０の各々は、図５及び図６に図示する如く、シート部分１４６に対して、互いに対してそしてベッドに対して相対移動するのが典型的である。前記部分１４４、１４８、１５０の各部分に隣接した刻目付き発泡体コア９４の各部は斯かる部分１４４、１４８、１５０の各々と一緒に移動するように構成される。スリット１４０は、例えば、図６に図示する如く、スリット１４０から離間する内側方向へ刻目付き発泡体コア９４を折り曲げるのを可能にし、開口部１４２は、刻目付き発泡体コア９４が折り曲げられた時に不用意に破断するのを防止する。
【００５４】
　図５及び図６に図示する如く、カット１３４は少なくともカット１３４の１つが全体としてヘッド及びシート部分１４４、１４６の間に置かれるように、少なくともカット１３４の１つが全体としてシート及び大腿部分１４６、１４８の間に置かれるように、そして、少なくともカット１３４の１つが全体として大腿及び足部分１４８、１５０の間に置かれるように位置決めされる。刻目付き発泡体コア９４には複数のカット１３４が図５及び図６に最も良く図示されているように各位置に設けられて、ベッドに応じてヘッド、シート、大腿、及び足部分１４４、１４６、１４８、１５０の長手方向の長さが異なり得る、連接結合デッキを有した様々なベッドと一緒に使用された時に、上記に記載したことが事実となるようにされる。
【００５５】
　上記に述べた如く、刻目付き発泡体コア９４には、また、図５及び図６に最も良く図示されている如く、頂部表面１３２上に横断方向に延在する溝１３０が設けられる。該溝１３０は、図6 に図示する如く、カット１３４の反対の表面１３２、１３６が該表面上に押し付けられるのを可能にするスペースを追加して設けることにより刻目付き発泡体コア９４の折り曲げが容易になるように位置決めすることができる。しかしながら、刻目付き発泡体コア９４のヘッド、シート、大腿及び足部分１４４、１４６、１４８、１５０または連接結合デッキ１３８と一体となって移動する部分には溝１３０は必要ない。
【００５６】
　各溝１３０は図５及び図６に最良に図示されている如く、一定の深さ１６０及び一定の幅１６２を有しており、深さ１６０及び幅１６２の双方は溝１３０に隣接した刻目付き発泡体コア９４の示す支持及び堅さ特性を変更するために変更することができる。例えば、溝１３０の深さ１６０を深くすれば、溝１３０に隣接した刻目付き発泡体コア９４が、該刻目付き発泡体コア９４を備えた発泡体より柔らかい発泡体を有する非刻目付き発泡体マットレスから予測される支持及び堅さ特性をユーザ（図示なし）に提供することができる。同様に、溝１３０の幅１６２を広くすることで、溝１３０に隣接する刻目付き発泡体コア９４は該刻目付き発泡体コア９４を備えた発泡体より柔らかい発泡体を有する非刻目付き発泡体マットレスから予測される支持及び堅さ特性をユーザ（図示なし）に提供することができる。このように、溝１３０の深さ１６０及び幅１６２を変更することで、刻目付き発泡体コア９４の当該部分の支持及び堅さ特性を変更することができる。
【００５７】
　溝１３０は刻目付き発泡体コア９４の頂部表面１３２に形成される。しかしながら、刻目付き発泡体コア９４のベッドに係合する表面に溝１３０を形成して刻目付き発泡体コア９４の頂部表面１３２が全体として平らになるようにすれば、刻目付き発泡体コア９４を備えるマットレス５２の堅さ及び支持特性は低下するが、斯かる低下は刻目付き表面を上方に向けた時に起きる低下ほど大きな低下ではない。従って、刻目付き発泡体コア９４のベッドに係合する下向きの表面上に刻目を付ける、即ち彫り出すことによりマットレス５２の堅さ及び支持特性をさらに調整することが可能となる。刻目付き発泡体コア９４の頂部表面１３２のみに、ベッドに係合する下向き表面のみに及び上記双方の表面に溝１３０を含むように刻目付き発泡体コアを彫り出すことは本発明の現在考えられ得る範囲内のことである。  
【００５８】
　フレーム７４の側部発泡体部分８０及び発泡体仕切りレール１１４に刻目をつけてそれぞれの部材８０、１１４が、図７に図示する如く、連接結合デッキ１３８のヘッド、シート、大腿及び足部分１４４、１４６、１４８、１５０に沿って移動するようにすることも可能である。発泡体仕切りレール１１４は、一般的には、刻目付き発泡体コア９４に関して上記に説明したのと同じ溝１３０及びカット１３４のパターンを有するように彫り出される。
【００５９】
　フレーム７４をコア８８より堅さが著しく大きな発泡体から形成してマットレス５２の側部及び端部に沿って支持を更に強くすることができる。斯かる追加の支持は、ユーザがベッドに乗り降りする時に特に役に立つ。しかしながら、斯かる堅さを増強した側部発泡体部分８０を使用するには斯かる側部発泡体部分８０がデッキ１３８のヘッド、シート、大腿及び足部分１４４、１４６、１４８、１５０と確実に一緒に動くように該側部発泡体部分８０を彫り出す必要がある。
【００６０】
　刻目付き発泡体コア９４の場合には、フレーム７４の側部発泡体部分８０に、図７に図示する如く、スリット１４０及び円筒状開口部１４２を有する横断方向のカット１３４を設ける。側部発泡体部分８０に、更に、溝１３０を設けて、刻目付き発泡体コア９４について上記に説明した如く、側部発泡体部分８０の堅さ及び支持特性を変更することが可能である。」
（１ｂ）「【０１２８】
　図２４に示された本発明の代替実施例において、マットレス装置452 は少なくとも４個の異なる堅さ感触の組合せを含むべく提供される。該マットレス装置452 によれば小売業者は、購入前にユーザに対して少なくとも４通りの異なる堅さ感触を呈示する単一のテスト装置を使用し得る。故に該マットレス装置452 に依れば、小売業者は店舗内のテスト用マットレスの台数を減ずることで床面積を節約し得ると共に、ユーザは小売業者から購入しようとするマットレスの感触を適合調整し得ることになる。種々の堅さ感触は、マットレス装置452 によりユーザに対して垂直区分け(vertical zoning)(以下、“制御式圧縮”と称する) および頭部／足部間区分け(head-to-toe zoning)を提供することで達成される。この概略的に２次元の区分けは、ユーザの体重負荷をマットレス装置452 上に分散させてユーザと該装置452 との間の界面圧力を最小化する。
【０１２９】
　図２４を参照すると、
マットレス装置452 は頂部キルティングパネル454 および底部キルティングパネル460 を含んでいる
頂部キルティングパネル454 は、上向きの頂部459 、
逆側の底部、および、周縁部456 を有している
【０１３０】
　図２４および図２５に示された如く、
マットレス装置452 の底部キルティングパネル460 は頂部キルティングパネル454 と協働してマットレス内部472 を画成する
底部キルティングパネル460 は、内向きの頂部462 、反対側の外側底部464 、および、上方に延在する側部466 を含んでいる
側部466 は、底部464 の近傍の底縁部468 と、頂部キルティングパネル454 の周縁部456 への取付けの為の頂縁部470 とを含んでいる
頂縁部470 および周縁部456 は、シーム(seam)などの縫製構造により取付けられる
【０１３１】
　
マットレス装置454 （審決注：「452」の誤記）はまた、コア458 と、該コア458 を囲繞すると共に頭部端部分476 、足部端部分478 、および、頭部端および足部端部分476 、478 に接合すべく長手方向に延在する側部部分480 を有するフレーム474 と、上側トッパ発泡体479 と、下側トッパ発泡体481 とを含んでいる
フレーム474 はマットレス内部472 に受容される
フレーム474 の頭部端部分476 、足部端部分478 および側部部分480 は協働して、ユーザが横臥する中央開口482 を画成する
【０１３２】
　図２４を参照すると、鉛直方向における上側トッパ発泡体479 は事前選択された第1 発泡体堅さを有すると共に、下側トッパ発泡体481 は事前選択された第2 発泡体堅さを有している。本発明に依れば、上記上側トッパ堅さは下側トッパ堅さとは異なっている。上側および下側のトッパ堅さの間の差は、変更され得る。但し、上側および下側のトッパ堅さの差が増大するにつれ、制御式圧縮における差に依るユーザへのマットレス感触の差が増大することは理解される。
【０１３３】
　
コア458 はフレーム474 の中央開口482 内に受容されると共に、上側および下側トッパ発泡体479 、481 間に存すべく位置せしめられる
【０１３４】
　
コア458 は、頭部端ブロック490 と、足部端ブロック492 と、頭部端および足部端ブロック490 、492 間に存すべく位置せしめられたシートブロック494 と、区分ブロック410 、412 とを含んでいる
【０１３５】
　コア488 （審決注：「458」の誤記）の各ブロック490 、492 、494 は、個々の事前選択ブロック堅さを有している。例示的に、
コア488 （審決注：「458」の誤記）の各ブロック490 、492 、494 はフォームラバー(foam rubber) で構成され
各ブロック490 、492 、494 が同一の堅さを有し得る
【０１３６】
　図２４に示された如く、
コア488 （審決注：「458」の誤記）の区分ブロック410 、412 はユーザの腰部領域および大腿領域と略々整列して存すべく位置せしめられる
ブロック410 、412 はフォームラバーで構成される
ユーザが特定のマットレス感触に適合調整するのを助ける
【０１３７】
　
第1 ブロック410 は頭部端ブロック490 およびシートブロック494 の間に存すると共に長手方向にてそれらに対して当接すべく位置せしめられる
第1 ブロック410 は、ユーザの頭部が頂部キルティングパネル454 上の頭部端ブロック490 の近傍に位置せしめられたときにユーザの
 腰部
と略々整列される
第1 ブロック410 の堅さは頭部端ブロック490 およびシートブロック494 の堅さよりも大きくしてユーザの腰部に対して付加的な支持を提供する
第2 ブロック412 は、足部端ブロック492 およびシートブロック494 の間に存すると共に長手方向にてそれらに対して当接すべく位置せしめられる
第2 ブロック412 は、ユーザの
頭部が頂部キルティングパネル454 上の頭部端ブロック490 の近傍に位置せしめられたときにユーザの
上腿と略々整列される
第2 ブロック412 の堅さは足部端ブロック492 およびシートブロック494 の堅さよりも大きくしてユーザの大腿に対して付加的な支持を提供する
第2 ブロック412 の堅さは第1 ブロック410 の堅さよりも大きく、小さく、又は、等しくされ
・・・
【０１４０】
　上記
マットレス装置452 は、
ベッドの連接結合デッキなどの土台上で
使用され得る
（１ｃ）引用文献１には以下の図が示されている。
  
  
　また、上記記載事項及び図示内容によれば、以下の事項が認められる。
（１ｄ）段落【０１３４】の「コア458 は、頭部端ブロック490 と、足部端ブロック492 と、頭部端および足部端ブロック490 、492 間に存すべく位置せしめられたシートブロック494 と、区分ブロック410 、412 とを含んでいる。」という記載、段落【０１３５】の「コア488 （審決注：「458」の誤記）の各ブロック490 、492 、494 はフォームラバー(foam rubber) で構成され・・・各ブロック490 、492 、494 が同一の堅さを有し得る」という記載、段落【０１３６】の「コア488 （審決注：「458」の誤記）の区分ブロック410 、412 はユーザの腰部領域および大腿領域と略々整列して存すべく位置せしめられる。ブロック410 、412 はフォームラバーで構成される」という記載、段落【０１３７】の「第1 ブロック410 は頭部端ブロック490 およびシートブロック494 の間に存すると共に長手方向にてそれらに対して当接すべく位置せしめられる。・・・第2 ブロック412 の堅さは足部端ブロック492 およびシートブロック494 の堅さよりも大きくしてユーザの大腿に対して付加的な支持を提供する。」という記載（いずれも記載事項（１ｂ））によれば、「区分ブロック４１０」及び「ブロック４１０」は「第１ブロック４１０」と、「区分ブロック４１２」及び「ブロック４１２」は「第２ブロック４１２」と、「ブロック４９０」は「頭部端ブロック４９０」と、「ブロック４９２」は「足部端ブロック４９２」と、「ブロック４９４」は「シートブロック４９４」とそれぞれ同一のものを意味する。
　以上の記載事項（１ａ）〜（１ｄ）を総合すると、引用文献１には、次の発明（以下「引用発明」という。）が記載されていると認められる。
「マットレス装置４５２は頂部キルティングパネル４５４および底部キルティングパネル４６０を含み、
　頂部キルティングパネル４５４は、上向きの頂部４５９、逆側の底部、および、周縁部４５６を有し、
　マットレス装置４５２の底部キルティングパネル４６０は頂部キルティングパネル４５４と協働してマットレス内部４７２を画成し、底部キルティングパネル４６０は、内向きの頂部４６２、反対側の外側底部４６４、および、上方に延在する側部４６６を含み、側部４６６は、底部４６４の近傍の底縁部４６８と、頂部キルティングパネル４５４の周縁部４５６への取付けの為の頂縁部４７０とを含み、
　頂縁部４７０および周縁部４５６は、シーム(seam)などの縫製構造により取付けられ、
　マットレス装置４５２はまた、コア４５８と、該コア４５８を囲繞すると共に頭部端部分４７６、足部端部分４７８、および、頭部端および足部端部分４７６、４７８に接合すべく長手方向に延在する側部部分４８０を有するフレーム４７４と、上側トッパ発泡体４７９と、下側トッパ発泡体４８１とを含んでおり、
　フレーム４７４はマットレス内部４７２に受容され、
　フレーム４７４の頭部端部分４７６、足部端部分４７８および側部部分４８０は協働して、ユーザが横臥する中央開口４８２を画成し、
　コア４５８はフレーム４７４の中央開口４８２内に受容されると共に、上側および下側トッパ発泡体４７９、４８１間に存すべく位置せしめられ、
　コア４５８は、頭部端ブロック４９０と、足部端ブロック４９２と、頭部端および足部端ブロック４９０、４９２間に存すべく位置せしめられたシートブロック４９４と、第１ブロック４１０、第２ブロック４１２とを含み、
　コア４５８の頭部端ブロック４９０、足部端ブロック４９２、シートブロック４９４はフォームラバー(foam rubber)で構成され、
　頭部端ブロック４９０、足部端ブロック４９２、シートブロック４９４が同一の堅さを有し、
　コア４５８の第１ブロック４１０、第２ブロック４１２はユーザの腰部領域および大腿領域と略々整列して存すべく位置せしめられ、
　第１ブロック４１０、第２ブロック４１２はフォームラバーで構成され、
　第１ブロック４１０は頭部端ブロック４９０およびシートブロック４９４の間に存すると共に長手方向にてそれらに対して当接すべく位置せしめられ、第１ブロック４１０は、ユーザの頭部が頂部キルティングパネル４５４上の頭部端ブロック４９０の近傍に位置せしめられたときにユーザの腰部(lumber)と略々整列され、
　第１ブロック４１０の堅さは頭部端ブロック４９０およびシートブロック４９４の堅さよりも大きくしてユーザの腰部に対して付加的な支持を提供し、
　第２ブロック４１２は、足部端ブロック４９２およびシートブロック４９４の間に存すると共に長手方向にてそれらに対して当接すべく位置せしめられ、第２ブロック４１２は、ユーザの頭部が頂部キルティングパネル４５４上の頭部端ブロック４９０の近傍に位置せしめられたときにユーザの上腿と略々整列され、
　第２ブロック４１２の堅さは足部端ブロック４９２およびシートブロック４９４の堅さよりも大きくしてユーザの大腿に対して付加的な支持を提供し、
　第２ブロック４１２の堅さは第１ブロック４１０の堅さよりも大きく、小さく、又は、等しくされ、
　マットレス装置４５２は、ベッドの連接結合デッキの土台上で使用されるマットレス装置４５２。」
第５　対比
　本願発明１と引用発明とを対比する。
１　引用発明の「ユーザ」は、その意味、機能または構造からみて、本願発明１の「ベッド使用者」に相当する。
２　引用発明の「コア４５８」は、「頭部端ブロック４９０と、足部端ブロック４９２と、頭部端および足部端ブロック４９０、４９２間に存すべく位置せしめられたシートブロック４９４と、第１ブロック４１０、第２ブロック４１２とを含」むものであるが、「頭部端ブロック４９０、足部端ブロック４９２、シートブロック４９４」及び「第１ブロック４１０、第２ブロック４１２」は「フォームラバー」「で構成され」ているから、クッション性を有することは明らかである。
　また、引用発明の「コア４５８」は、「マットレス装置４５２」の「ユーザが横臥する」「フレーム４７４の中央開口４８２内に受容されると共に、上側および下側トッパ発泡体４７９、４８１間に存すべく位置せしめられ」ているから、ユーザの体重を支えることは明らかである。
　そうすると、引用発明の「頭部端ブロック４９０と、足部端ブロック４９２と、頭部端および足部端ブロック４９０、４９２間に存すべく位置せしめられたシートブロック４９４と、第１ブロック４１０、第２ブロック４１２とを含」むものであって、「頭部端ブロック４９０、足部端ブロック４９２、シートブロック４９４」及び「第１ブロック４１０、第２ブロック４１２」は「フォームラバー」「で構成され」、「ユーザが横臥する」「フレーム４７４の中央開口４８２内に受容されると共に、上側および下側トッパ発泡体４７９、４８１間に存すべく位置せしめられ」る「コア４５８」は、本願発明１の「クッション性を有し、ベッド使用者の体重を支えるマットレス本体」に相当する。
３　本願発明１の「被包する」の意味について、本願明細書の段落【００１６】の「図３に示すように、カバー４０は、袋状をなし、マットレス本体１を内部に収納して、マットレス本体１を被包する。」（記載事項Ｂ）という記載及び図３の図示内容（記載事項Ｃ）を参照すると、対象を内部に収納して、被い包むことであると理解できる。
　また、本願発明１の「カバー」が「このマットレス本体を被包する」ことの意味について、本願明細書の段落【００２５】の「図４に示すマットレス本体１と上層マットレス部材１０との組み合わせのスタンダードタイプのプラットホーム化マットレスは、上層マットレス部材１０の厚さが例えば９ｃｍであり、図５に示すマットレス本体１と上層マットレス部材２０との組み合わせの床ずれ防止タイプのプラットホーム化マットレスは、上層マットレス部材２０の厚さが例えば１２．５ｃｍである。このように、上層マットレス部材の厚さが異なるので、カバー４０は、各厚さに対応したものを用意することが好ましい。・・・マットレス全体の厚さは、この上層マットレス部材の厚さにより変化するので、それに応じて適切なカバーを用意することが好ましい。」（記載事項Ｂ）という記載及び図４〜５の図示内容（記載事項Ｃ）をも参照すると、「カバー」が「被包する」対象に少なくとも「マットレス本体」が含まれていることであると理解できる。
　ここで、引用発明の「頂部キルティングパネル４５４」は、「上向きの頂部４５９、逆側の底部、および、周縁部４５６を有」し、「底部キルティングパネル４６０」は「内向きの頂部４６２、反対側の外側底部４６４、および、上方に延在する側部４６６を含み、側部４６６は、底部４６４の近傍の底縁部４６８と、頂部キルティングパネル４５４の周縁部４５６への取付けの為の頂縁部４７０とを含」み、「頂縁部４７０および周縁部４５６は、シーム(seam)などの縫製構造により取付けられ」ているものであって、引用発明においては、「コア４５８」（本願発明１の「マットレス本体」に相当。）が「フレーム４７４」の「中央開口４８２内に受容」され、さらに、「フレーム４７４」が、「頂部キルティングパネル４５４」及び「底部キルティングパネル４６０」が「協働して」「画成」する「マットレス内部４７２」に「受容」されているから、「頂部キルティングパネル４５４」及び「底部キルティングパネル４６０」が「コア４５８」を内部に収納して、被い包んでいることは明らかである。
　そうすると、引用発明の、「コア４５８」が「受容」される「フレーム４７４」をさらに「マットレス内部４７２」に「受容」している「頂部キルティングパネル４５４」及び「底部キルティングパネル４６０」は、本願発明１の「このマットレス本体を被包するカバー」に相当する。
４　引用発明の「マットレス装置４５２」は、「ベッドの連接結合デッキの土台上で使用される」ものであるが、「連接結合デッキ」に関し、引用文献１の段落【００３８】〜【００３９】の「連接結合デッキ１３８はヘッド部分１４４、シート部分１４６、大腿部分１４８及び足部分１５０を含む。・・・デッキ１３８のシート部分１４６はマットレス５２を載せる全体として水平で上方を向いた表面を有するベッドに対して固定され、ヘッド部分１４４、大腿部分１４８及び足部分１５０はマットレス５２を移動するようにベッド・・・に対して及び互いに対して移動自在にされて、マットレス５２の位置及びマットレス５２上のユーザの位置が変化するようにする。」（記載事項（１ａ））という記載を参照すると、少なくとも、シート部分がベッドに対して固定され、ヘッド部分、大腿部分及び足部分は移動できると理解できる。
　そうすると、引用発明の「ベッドの連接結合デッキの土台上で使用されるマットレス装置４５２」は、その意味、機能または構造からみて、本願発明１の「ギャッチベッド用マットレス」に相当する。
　以上のことから、本願発明１と引用発明とは以下の点で一致し、また、以下の点で相違する。
＜一致点＞
　「クッション性を有し、ベッド使用者の体重を支えるマットレス本体と、
このマットレス本体を被包するカバーと、
を有するギャッチベッド用マットレス。」
＜相違点＞
　「マットレス本体」に関し、
　本願発明１は、「前記ベッド使用者の大腿部に対応する位置に、腰部及び背部に対応する位置の素材よりも硬い素材が配置されている」のに対し、
　引用発明は、「頭部端ブロック４９０、足部端ブロック４９２、シートブロック４９４が同一の堅さを有し」、「第１ブロック４１０は頭部端ブロック４９０およびシートブロック４９４の間に存し、第１ブロック４１０は、ユーザの頭部が頂部キルティングパネル４５４上の頭部端ブロック４９０の近傍に位置せしめられたときにユーザの腰部(lumber)と略々整列され、第１ブロック４１０の堅さは頭部端ブロック４９０およびシートブロック４９４の堅さよりも大きくしてユーザの腰部に対して付加的な支持を提供し、第２ブロック４１２は、足部端ブロック４９２およびシートブロック４９４の間に存し、第２ブロック４１２は、ユーザの頭部が頂部キルティングパネル４５４上の頭部端ブロック４９０の近傍に位置せしめられたときにユーザの上腿と略々整列され、第２ブロック４１２の堅さは足部端ブロック４９２およびシートブロック４９４の堅さよりも大きくしてユーザの大腿に対して付加的な支持を提供し、第２ブロック４１２の堅さは第１ブロック４１０の堅さよりも大きく、小さく、又は、等しくされ」るものである点。
第６　判断
　以下、相違点について検討する。
＜相違点について＞
１　
（１）本願発明１の「腰部に対応する位置」について、本願明細書の段落【００１５】の「マットレス本体１は、ベッドの全面に対応する幅及び長さを有する第１部材２と、この第１部材２の頭部側及び足部側の部分の下面に接合された第２部材３，４と、第１部材２の腰部の部分の上面に接合された第３部材６と、平面視で第１部材２における第３部材６と足部側第２部材４との間の部分における下面に接合された第４部材５とから構成される。・・・腰部に相当する第３部材６は若干軟らかい素材で形成されている。一方、大腿部に相当する第４部材５は硬い素材で形成されており、基材又は腰部の第３部材６よりも硬い素材で形成された補助材である。」という記載及び段落【００１８】の「腰部を支持する第３部材６が５０乃至１３０Ｎと軟らかい素材で形成されているので、ベッド使用者の腰部は第３部材６で相対的に沈みやすく、大腿部を支持する補助材（第４部材５）は１５０乃至５００Ｎと硬い素材で形成されているので、ベッド使用者の大腿部は補助材（第４部材５）により支持されて、相対的に沈まない。このため、使用者の臀部（腰部）は、補助材（第４部材５）に係止されて、ベッド長手方向（足元方向）にずれることがない。」という記載（いずれも記載事項Ｂ）を参照すると、本願発明１の「腰部に対応する位置」の意味は、ベッド使用者の腰部及び臀部を支える位置であると理解できる。
　ここで、引用発明では「第１ブロック４１０は頭部端ブロック４９０およびシートブロック４９４の間に存すると共に長手方向にてそれらに対して当接すべく位置せしめられ」「ユーザの 腰部(lumber)と略々整列され」、「第２ブロック４１２は、足部端ブロック４９２およびシートブロック４９４の間に存すると共に長手方向にてそれらに対して当接すべく位置せしめられ」「ユーザの上腿と略々整列され」ているので、「シートブロック４９４」は、ユーザの腰部と上腿との間、要するにユーザの臀部を支える位置であることは明らかである。
　そうすると、引用発明の「ユーザの腰部領域」「と略々整列して存すべく位置せしめられ」る「第１ブロック４１０」を構成する「フォームラバー(foam rubber)」及び「シートブロック４９４」を構成する「フォームラバー(foam rubber)」は、それぞれユーザの腰部及び臀部を支える、すなわち本願発明１の「腰部に対応する位置」に相当する位置に配置された素材といえる。
（２）また、本願発明１の「背部に対応する位置」について、本願明細書の上記記載（上記（１）を参照）を参照すると、本願発明１の「背部に対応する位置」の意味は、「腰部に対応する位置」、すなわち腰部及び臀部を支える位置、からみて頭部側に位置するベッド使用者の身体を支える位置であると理解できる。
　ここで、引用発明の「コア４５８」は、「頭部端ブロック４９０」、「足部端ブロック４９２」、頭部端ブロック４９０及び足部端ブロック４９２間に存すべく位置せしめられた「シートブロック４９４」、「第１ブロック４１０」及び「第２ブロック４１２」を含むものである。
　引用発明の「頭部端ブロック４９０」は、ユーザの腰部領域と略々整列して存すべく位置せしめられる「第１ブロック４１０」の頭部側に位置するものであるところ、引用発明の「頭部端ブロック４９０」が、ユーザの腰部領域からみて頭部側に位置する領域、すなわち本願発明１の「背部に対応する位置」に相当する位置を支えることは明らかである。
　そうすると、引用発明の「頭部端ブロック４９０」を構成する「フォームラバー(foam rubber)」は、ユーザの腰部領域からみて頭部側に位置する領域を支える、すなわち本願発明１の「背部」「に対応する位置」に相当する位置に配置された素材といえる。
（３）さらにまた、引用発明の「第２ブロック４１２」は「ユーザの」「大腿領域と略々整列して存すべく位置せしめられ」ているから、引用発明の「第２ブロック４１２」を構成する「フォームラバー(foam rubber)」は、ユーザの大腿部を支える、すなわち本願発明１の「大腿部に対応する位置」に相当する位置に配置された素材といえる。
２
（１）次に、引用発明の「コア４５８」は、「頭部端ブロック４９０」、「足部端ブロック４９２」、「シートブロック４９４」、「第１ブロック４１０」及び「第２ブロック４１２」を含むところ、これをらを構成する「フォームラバー(foam rubber)」の硬さの関係について検討する。
　引用発明は「頭部端ブロック４９０、足部端ブロック４９２、シートブロック４９４が同一の堅さを有し」「第１ブロック４１０の堅さは頭部端ブロック４９０およびシートブロック４９４の堅さよりも大きくしてユーザの腰部に対して付加的な支持を提供し」「第２ブロック４１２の堅さは足部端ブロック４９２およびシートブロック４９４の堅さよりも大きくしてユーザの大腿に対して付加的な支持を提供し」「第２ブロック４１２の堅さは第１ブロック４１０の堅さよりも大きく、小さく、又は、等しくされ」るものであるから、引用発明における「頭部端ブロック４９０」、「足部端ブロック４９２」、「シートブロック４９４」、「第１ブロック４１０」及び「第２ブロック４１２」を構成する「フォームラバー(foam rubber)」の硬さの関係は、
ａ　「第２ブロック４１２」＞「第１ブロック４１０」＞「頭部端ブロック４９０」＝「足部端ブロック４９２」＝「シートブロック４９４」
ｂ　「第１ブロック４１０」＞「第２ブロック４１２」＞「頭部端ブロック４９０」＝「足部端ブロック４９２」＝「シートブロック４９４」
ｃ　「第２ブロック４１２」＝「第１ブロック４１０」＞「頭部端ブロック４９０」＝「足部端ブロック４９２」＝「シートブロック４９４」
の３つの選択肢があると理解することが合理的である。
（２）引用発明の構成を具体化するために、こうした選択肢の一を採用することは当業者が適宜なし得るというべきであるから、引用発明の構成における上記３つの選択肢のうち、その１つである選択肢ａを選択することは当業者が適宜なし得ることといえる。あるいは、引用文献１の段落【０１３６】の「ユーザが特定のマットレス感触に適合調整するのを助ける」（記載事項（１ｂ））と記載されているところ、引用発明の意義を踏まえ、ユーザの好みに応じ、引用発明の構成における上記３つの選択肢のうち、その１つである選択肢ａを選択することは当業者が適宜なし得ることといえる。
　ここで、上記３つの選択肢のうち、選択肢ａを採用すれば、
「第２ブロック４１２」（本願発明１の「大腿部に対応する位置」に相当する位置に配置された素材）＞「第１ブロック４１０」及び「シートブロック４９４」（本願発明１の「腰部」「に対応する位置」に相当する位置に配置された素材）
という硬さの関係及び
「第２ブロック４１２」（本願発明１の「大腿部に対応する位置」に相当する位置に配置された素材）＞「頭部端ブロック４９０」（本願発明１の「背部」「に対応する位置」に相当する位置に配置された素材）
という硬さの関係が成立する、すなわち、本願発明１でいう「前記ベッド使用者の大腿部に対応する位置に、腰部及び背部に対応する位置の素材よりも硬い素材が配置されている」構成となるといえる。
（３）そうすると、引用発明における３つの選択肢の一（上記選択肢ａ）を選択することで、上記相違点に係る本願発明１の構成とすることは、当業者が容易になし得たといえる。
＜請求人の主張について＞
３
（１）請求人は、審判請求書（【請求の理由】３．（ｂ）（ｂ−１））において、「引用例１の段落０１２８〜０１３１及び図２４には、マットレス本体（コア４５８）と、頂部キルティングパネル４５４と、底部キルティングパネル４６０とを有するマットレス装置４５２が記載されているが、拒絶査定にて認定された事項、即ち、頂部キルティングパネル４５４及び底部キルティングパネル４６０がマットレス本体を被包するカバーであることは開示されておらず、頂部キルティングパネル４５４及び底部キルティングパネル４６０は、マットレス本体４５８の最上層及び最下層を構成するシートに過ぎない。」とした上で、審判請求書（【請求の理由】３．（ｃ）（ｃ−１））において、「先ず、本発明と引用例１（審決注：上記第４の「引用文献１」）とは、課題が相違する。本発明は、ギャッチベッドのマットレス上に横臥するベッド使用者の背上げ動作時のベッド長手方向へのずれを防止することを目的とするのに対し、引用例１は、個々のユーザの特別の注文に応じて作ることのできるマットレス構造を提供することを目的とし、ユーザの筋骨格に対応したキットから組み立てられる様々な形態でユーザに提供することができるマットレスを得ることを目的とする（引用例１の段落０００１）。この点で、本発明と引用例１とは目的が相違する。拒絶査定において、引用例１には、マットレス本体を被包するカバーとして、頂部キルティングパネル４５４及び底部キルティングパネル４６０が記載されていると認定している。しかし、前述の如く、引用例１の図２４に記載されているように、頂部キルティングパネル４５４は、上側リトッパ発泡体４７９（審決注：「上側トッパ発泡体４７９」の誤記）を介して、マットレス本体（コア）４５８上に載置されるものであり、底部キルティングパネル４６０は、マットレス装置４５２の最下層として、その上に下側リトッパ発泡体４８１（審決注：「下側トッパ発泡体４８１」の誤記）、フレーム４７４、マットレス本体（コア）４５８等が載置されるものである。つまり、この頂部キルティングパネル４５４及び底部キルティングパネル４６０は、マットレス本体を被包するものではなく、またマットレス本体のカバーでもない。本発明は、カバーはマットレス本体を被包するものであり、マットレス本体と一体となって、背上げ動作時にベッド使用者がベッド長手方向にずれてしまうことを防止する機能をもち、・・・これに対し、引用例１の頂部キルティングパネル４５４は、マットレス本体（コア）４５８を被包するものではなく、単に上側リトッパ発泡体４７９を介してマットレス本体（コア）４５８の上に載置されているだけであるから、この頂部キルティングパネル４５４自体が背上げ動作時にベッド長手方向にずれてしまうものである。これは、底部キルティングパネル４６０も同様である。即ち、底部キルティングパネル４６０は、背上げ時等に、マットレス本体（コア）４５８にベッド長手方向に移動してしまう力が作用したときに、何らこのマットレス本体（コア）４５８のずれ移動を抑制することはできない。このような本発明と引用例１との構成上の相違点は、前述の如く、本発明の目的と引用例１の目的とが全く異なることに起因する。」と主張する（以下「主張Ａ」という。）。
（２）また、審判請求書（【請求の理由】３．（ｃ）（ｃ−１））において、「引用例１には、前述の如く、第１ブロック４１０がユーザの腰部領域に対応し、第２ブロック４１２がユーザの大腿領域に対応することが記載され、第１ブロック４１０の硬さ（引用例１には堅さと記載されているが、これは硬さを意味すると考える）は、頭部端ブロック４９０及びシートブロック４９４の硬さより大きくしてユーザの腰部を付加的に支持し、第２ブロック４１２の硬さは足部端ブロック４９２及びシートブロック４９４の硬さより大きくしてユーザの大腿を付加的に支持することが開示されている。つまり、引用例１は、腰部及び大腿部を他の部分より硬くしてそれらの重い身体の部分が沈み込まないようにすることを開示している。・・・引用例１には、第２ブロック４１２の硬さは、第１ブロック４１０の硬さよりも大きく、小さく、又は等しくすることができると記載されている。これは、第１ブロック４１０の硬さと第２ブロック４１２の硬さとの関係は、いずれの形態でもよいことを意味している。拒絶査定においては、上記引用例１の記載を根拠にして、第２ブロック４１２の硬さが第１ブロック４１０の硬さよりも硬くすることが示唆されていると認定しているが、このような事実は存在しない。引用例１において、示唆又は開示されていることは、第２ブロック４１２と第１ブロック４１０との硬さの大小関係は、全ての形態が存在することを開示している。つまり、引用例１が開示する内容は、第１ブロック４１０の硬さを、第２ブロック４１２の硬さと同一にしても良いし、大きくしても良いし、更には小さくしても良いということである。決して、拒絶査定が認定するように第２ブロック４１２の硬さを第１ブロック４１０の硬さよりも大きくすることが示唆されているわけではない。この理解は、引用例１の目的が、前述の如く、個々のユーザの特別の注文に応じて作ることのできるマットレス構造を提供することにあり、またユーザの筋骨格に対応したキットから組み立てられる様々な形態でユーザに提供することができるマットレスを得ることにあるからである。つまり、引用例１の目的は、ユーザの身体的・生理的状態に応じて、ユーザが好む最適の状態のマットレスを提供することにあり、この目的のために、引用例１は、図２４に示すように、マットレス本体（コア）４５８を、複数のブロック４９０，４１０，４９４，４１２，４９２を並べた構造とし、それらのブロックの硬さを調整することにより、上記目的、即ち、ユーザの身体的・生理的状態に応じて、ユーザが好む最適の状態のマットレスを提供せんとするものである。引用例１には、このような引用例１の目的達成のために、第２ブロック４１２だけを、他の第１ブロック４１０及び頭部端ブロック４９０よりも硬くすることは、何ら示唆されているものではない。本発明は、大腿部に対応する位置の素材として、腰部及び背部に対応する位置の素材よりも硬い素材を使用することにより、背上げ時に、ベッド使用者にベッド長手方向にずれようとする力が印加されても、この硬い素材の部分で、身体を支え、身体がベッド長手方向にずれないようにすることに特徴がある。このような本発明の特徴は、引用例１の記載から示唆されるものではない。」と主張する（以下「主張Ｂ」という。）。
４　まず主張Ａについて検討する。
　上記「第５　３」で述べたとおり、引用発明の「頂部キルティングパネル４５４」は、「上向きの頂部４５９、逆側の底部、および、周縁部４５６を有」し、「底部キルティングパネル４６０」は「内向きの頂部４６２、反対側の外側底部４６４、および、上方に延在する側部４６６を含み、側部４６６は、底部４６４の近傍の底縁部４６８と、頂部キルティングパネル４５４の周縁部４５６への取付けの為の頂縁部４７０とを含」み、「頂縁部４７０および周縁部４５６は、シーム(seam)などの縫製構造により取付けられ」ているものであるから、これらがシートにすぎないとはいえないし、引用発明においては、「コア４５８」（本願発明１の「マットレス本体」に相当。）が「フレーム４７４」の「中央開口４８２内に受容」され、さらに、「フレーム４７４」が、「頂部キルティングパネル４５４」及び「底部キルティングパネル４６０」が「協働して」「画成」する「マットレス内部４７２」に「受容」されているから、「頂部キルティングパネル４５４」及び「底部キルティングパネル４６０」が協働して「コア４５８」を内部に収納し、被い包んでいる、すなわち被包していることは明らかである。
　また、仮に、本願発明１の「カバー」に関し、本願明細書の段落【００１６】の「図３に示すように、カバー４０は、袋状をなし、マットレス本体１を内部に収納して、マットレス本体１を被包する。」（記載事項Ｂ）を参照し、本願発明１の「カバー」が「袋状」であると解したとしても、上述のとおり、引用発明の「頂部キルティングパネル４５４」は、「上向きの頂部４５９、逆側の底部、および、周縁部４５６を有」し、「底部キルティングパネル４６０」は「内向きの頂部４６２、反対側の外側底部４６４、および、上方に延在する側部４６６を含み、側部４６６は、底部４６４の近傍の底縁部４６８と、頂部キルティングパネル４５４の周縁部４５６への取付けの為の頂縁部４７０とを含」み、「頂縁部４７０および周縁部４５６は、シーム(seam)などの縫製構造により取付けられ」ているから、「頂部キルティングパネル４５４」及び「底部キルティングパネル４６０」も協働して「袋状」をなしているといえる。
　したがって、引用発明の「頂部キルティングパネル４５４」及び「底部キルティングパネル４６０」は、本願発明１の「マットレス本体を被包するカバー」と構成が相違するとはいえない。
　以上から、上記主張Ａは採用できない。
５　次に上記主張Ｂについて検討する。
　上記「２（１）」で述べたとおり、引用発明における「頭部端ブロック４９０」、「足部端ブロック４９２」、「シートブロック４９４」、「第１ブロック４１０」及び「第２ブロック４１２」を構成する「フォームラバー(foam rubber)」の硬さの関係は、
ａ　「第２ブロック４１２」＞「第１ブロック４１０」＞「頭部端ブロック４９０」＝「足部端ブロック４９２」＝「シートブロック４９４」
ｂ　「第１ブロック４１０」＞「第２ブロック４１２」＞「頭部端ブロック４９０」＝「足部端ブロック４９２」＝「シートブロック４９４」
ｃ　「第２ブロック４１２」＝「第１ブロック４１０」＞「頭部端ブロック４９０」＝「足部端ブロック４９２」＝「シートブロック４９４」
の３つの選択肢があると理解することが合理的である。
　そうすると、上記「２（２）」で述べたとおり、引用発明の構成を具体化するために、こうした選択肢の一を採用することは当業者が適宜なし得るというべきであるから、引用発明の構成における上記３つの選択肢のうち、その１つである選択肢ａを選択することは当業者が適宜なし得ることといえる。あるいは、引用発明の意義を踏まえ、ユーザの好みに応じ、引用発明の構成における上記３つの選択肢のうち、その１つである選択肢ａを選択することは当業者が適宜なし得ることといえ、上記３つの選択肢のうち、選択肢ａを採用すれば、本願発明１でいう「前記ベッド使用者の大腿部に対応する位置に、腰部及び背部に対応する位置の素材よりも硬い素材が配置されている」構成となるといえるのであるから、引用発明における３つの選択肢の一（上記選択肢ａ）を選択することで、上記相違点に係る本願発明１の構成とすることは、当業者が容易になし得たといえる。
　また、本願明細書の段落【００１８】の「ベッド使用者の腰部は第３部材６で相対的に沈みやすく、大腿部を支持する補助材（第４部材５）は１５０乃至５００Ｎと硬い素材で形成されているので、ベッド使用者の大腿部は補助材（第４部材５）により支持されて、相対的に沈まない。このため、使用者の臀部（腰部）は、補助材（第４部材５）に係止されて、ベッド長手方向（足元方向）にずれることがない。・・・ベッド使用者がマットレス上に座した場合、臀部が補助材（第４部材５）からの反力を受けて、骨盤が立った座位姿勢をとりやすくなる。」（記載事項Ｂ）という記載を参照し、本願発明１の作用効果について検討すると、引用発明において上記選択肢ａを採用した場合にも、「フォームラバー(foam rubber)」の硬さの関係が、「第２ブロック４１２」＞「第１ブロック４１０」＞「シートブロック４９４」となるので、ベッド使用者の腰部は相対的に沈みやすく、大腿部は相対的に沈みにくいことが明らかであるから、背上げ時に、ベッド使用者にベッド長手方向にずれようとする力が印加されても、大腿部の硬い素材（第２ブロック４１２）の部分で身体を支え、身体がベッド長手方向にずれない、ベッド使用者がマットレス上に座した時に、臀部が第２ブロック４１２からの反力を受けて、骨盤が立った座位姿勢をとりやすくなるという作用効果を奏するものといえる。そうすると、その作用効果を引用発明から当業者が予測できる範囲のものでないとはいえない。
　したがって、上記主張Ｂは採用できない。
第７　むすび
　以上のとおりであるから、本願発明１は、引用文献１に記載された発明（引用発明）に基いて、その出願前にその発明の属する技術の分野における通常の知識を有する者が容易に発明をすることができたものであるから、特許法第２９条第２項の規定により特許を受けることができない。
　したがって、他の請求項に係る発明について検討するまでもなく、本願は拒絶すべきものである。
　よって、結論のとおり審決する。